(57)【要約】【解決手段】  患者の口内側で歯の歯科用咬翼Ｘ線写真を撮るための受容体位置決め器具は、ほぼ長方形の開口１６を形成する照準板１２を有する剛性固定構造体を含む。受容体保持部材３０は、受容体を受けるのに適し、細長腕２０が照準板を受けかつそれに連結する。細長腕は、受容体保持部材の後部に向かって延びかつ反対側の照準板を受容体保持部材の後部に連結して、遮られていない通路が照準板の長方形開口と受容体との間に形成される。咬合面２２が受容体保持部材に隣接して細長腕の末端に固く取り付けられて、受容体が歯の背部に定置される。咬合面が患者の口の反対側にある歯によって噛まれている間に、歯の上でＸ線写真が撮られつつある。
2005521510.tif 000002
【特許請求の範囲】
【請求項１】
患者の歯の歯科用咬翼Ｘ線写真を撮るための受容体位置決め器具であって、
開口を有していて、Ｘ線機械に整合させるための照準板と、
受容体を受けるのに適し、前記Ｘ線機械からのＸ線照射に露出するための受容体保持部材と、ならびに
第１端において前記照準板に連結されかつ末端に向けて定置された咬合面を含む細長腕とを備え、咬合部分末端からの前記細長腕が前記照準板に向かってさらに延びかつ前記受容体保持部材に連結されて、患者の歯が咬合部分末端に係合している間に、遮られていない通路が前記照準板のほぼ中央の開口と受容体保持部材によって受けられた受容体との間に形成された、受容体位置決め器具。
【請求項２】
前記照準板、前記受容体保持部材、および前記細長腕が固く一体に固定されている、請求項１に記載の受容体位置決め器具。
【請求項３】
前記咬合部分末端は、患者の歯の咬合パターンをつくりかつ記録するのに適したエラストマ圧痕材料を含む、請求項１に記載の受容体位置決め器具。
【請求項４】
前記咬合部分末端に開口をさらに含み、エラストマ圧痕材料が前記開口に連結される、請求項１に記載の受容体位置決め器具。
【請求項５】
前記照準板は、少なくとも０．１９ｃｍ（０．０７５ｉｎ）の厚みを有する金属から構成されている、請求項１に記載の受容体位置決め器具。
【請求項６】
前記受容体保持部材は、前記受容体および前記受容体保持部材を一体に固定するように少なくとも１つのバンドを受けるための縁にある切欠きを含む、請求項１に記載の受容体位置決め器具。
【請求項７】
前記受容体は、データ・コードを有しかつ該データ・コードを前記照準板と前記受容体保持部材との間で前記細長腕に固定するコネクタをさらに含むデジタル受容体である、請求項１に記載の受容体位置決め器具。
【請求項８】
前記咬合部分末端は、患者の歯によって咬合するのに適した非圧縮性受け部分を含む、請求項１に記載の受容体位置決め器具。
【請求項９】
前記照準板は、患者が把持する互いに反対側にあるハンドルを含む、請求項１に記載の受容体位置決め器具。
【請求項１０】
前記照準板の開口は、ほぼ長方形形状をしており、ほぼ長方形形状を有するフィルムに類似して指向されている、請求項１に記載の受容体位置決め器具。
【請求項１１】
前記照準板の開口は、前記受容体の寸法に寸法的に対応するのに適した、請求項１に記載の受容体位置決め器具。
【請求項１２】
前記咬合面が前記受容体保持部材に隣接していて、前記受容体が患者の歯の背後に定置され、歯の上でＸ線写真が撮られる、請求項１に記載の受容体位置決め器具。
【請求項１３】
前記受容体保持部材が複数の受容体寸法に適応する、請求項１に記載の受容体位置決め器具。
【請求項１４】
前記受容体保持部材がデジタル受容体を収容する、請求項１に記載の受容体位置決め器具。
【請求項１５】
前記受容体保持部材がフィルムを収容する、請求項１に記載の受容体位置決め器具。
【請求項１６】
患者の歯の歯科用咬翼Ｘ線写真を撮るための受容体位置決め器具であって、
開口を有していて、Ｘ線機械に整合させるための照準板と、
受容体を受けるのに適し、前記Ｘ線機械からのＸ線照射に露出するための受容体保持部材と、ならびに
第１端において前記照準板に連結されかつ末端に向けて定置された咬合面を含む細長腕とを備え、前記咬合部分末端は患者の歯の咬合パターンをつくりかつ記録するのに適したエラストマ圧痕材料を含み、前記細長腕が前記照準板の反対側で前記受容体保持部材の後部に向けて咬合部分末端から延びかつ前記受容体保持部材の後部に連結されて、患者の歯が咬合部分末端に係合している間に、遮られていない通路が前記照準板のほぼ中央の開口と受容体保持部材によって受けられた受容体との間に形成された、受容体位置決め器具。
【請求項１７】
前記咬合部分末端に開口を含み、前記エラストマ圧痕材料が前記開口に連結された、請求項１６に記載の受容体位置決め器具。
【請求項１８】
前記照準板、前記受容体保持部材、および前記細長腕が一体に固く固定された、請求項１７に記載の受容体位置決め器具。
【請求項１９】
前記受容体保持部材は縁に切欠を有し、前記受容体および前記受容体保持部材を一体に固定するように少なくとも１つのバンドを前記切欠に受ける、請求項１７に記載の受容体位置決め器具。
【請求項２０】
前記受容体は、データ・コードを有しかつ該データ・コードを前記照準板と前記受容体保持部材との間で前記細長腕に固定するコネクタをさらに含むデジタル受容体である、請求項１７に記載の受容体位置決め器具。
【請求項２１】
患者の歯の歯科用咬翼Ｘ線写真を撮るための受容体位置決め器具であって、
開口を有していて、Ｘ線機械に整合させるための照準板と、ただし該照準板は少なくとも０．１９ｃｍ（０．０７５ｉｎ）の厚みを有する金属から構成され、
受容体を受けるのに適し、前記Ｘ線機械からのＸ線照射に露出するための受容体保持部材と、ならびに
第１端において前記照準板に連結されかつ末端に向けて定置された咬合面を含む細長腕とを備え、前記細長腕が前記照準板の反対側で前記受容体保持部材の後部に向かって咬合部分末端から延びかつ前記受容体保持部材の後部に連結されて、患者の歯が咬合部分末端に係合している間に、遮られていない通路が前記照準板のほぼ中央の開口と受容体保持部材によって受けられた受容体との間に形成された、受容体位置決め器具。
【請求項２２】
前記照準板、前記受容体保持部材、および前記細長腕が一体に固く固定された、請求項２１に記載の受容体位置決め器具。
【請求項２３】
前記咬合部分末端は、患者の歯の咬合パターンをつくりかつ記録するのに適したエラストマ圧痕材料を含む、請求項２１に記載の受容体位置決め器具。
【請求項２４】
前記咬合部分末端に開口を含み、前記エラストマ圧痕材料が前記開口に連結された、請求項２１に記載の受容体位置決め器具。
【請求項２５】
前記受容体保持部材は縁に切欠を有し、前記受容体および前記受容体保持部材を一体に固定するように少なくとも１つのバンドを前記切欠に受ける、請求項２１に記載の受容体位置決め器具。
【請求項２６】
前記受容体は、データ・コードを有しかつ該データ・コードを前記照準板と前記受容体保持部材との間で前記細長腕に固定するコネクタをさらに含むデジタル受容体である、請求項２５に記載の受容体位置決め器具。
【請求項２７】
患者の歯の歯科用咬翼Ｘ線写真を撮るための受容体位置決め器具であって、
開口を有していて、Ｘ線機械に整合させるための照準板と、
受容体を受けるのに適し、前記Ｘ線機械からのＸ線照射に露出するための受容体保持部材と、ただし前記受容体保持部材は縁に切欠を含み、前記切欠に受けられていて前記受容体の周りに延びかつ該受容体および前記受容体保持部材を一体に固定する少なくとも１つのバンドを含み、ならびに
第１端において前記照準板に連結されかつ末端に向けて定置された咬合面を含む細長腕とを備え、前記細長腕が前記照準板の反対側で咬合部分末端から前記受容体保持部材の後部に向かって延びかつ前記受容体保持部材の後部に連結されて、患者の歯が咬合部分末端に係合している間に、遮られていない通路が前記照準板のほぼ中央の開口と受容体保持部材によって受けられた受容体との間に形成された、受容体位置決め器具。
【請求項２８】
患者の歯の歯科用咬翼Ｘ線写真を撮るための受容体位置決め器具であって、
開口を有していて、Ｘ線機械に整合させるための照準板と、
データ・コードを有するデジタル受容体を固定し、前記Ｘ線機械からのＸ線照射に露出するための受容体保持部材と、
第１端において前記照準板に連結されかつ末端に向けて定置された咬合面を含む細長腕と、ただし前記細長腕が咬合部分末端から前記照準板の反対側で前記受容体保持部材の後部に向かって延びかつ前記受容体保持部材の後部に連結されて、患者の歯が咬合部分末端に係合している間に、遮られていない通路が前記照準板のほぼ中央の開口と受容体保持部材によって受けられた受容体との間に形成され、ならびに
前記デジタル受容体データ・コードを前記照準板と前記受容体保持部材との間で前記細長腕に固定するコネクタと、
を備えた受容体位置決め器具。
【請求項２９】
患者の歯の歯科用咬翼Ｘ線写真を撮るための方法であって、
開口を有する照準板と、受容体を受けるのに適し、Ｘ線機械からのＸ線照射に露出するための受容体保持部材と、ならびに第１端において前記照準板に連結されかつ末端に向けて定置された咬合面を含む細長腕とを備え、咬合部分末端からの前記細長腕が前記照準板に向かってさらに延びかつ前記受容体保持部材に連結された構成の受容体位置決め器具を設けること、
受容体を前記受容体保持部材に設けること、
前記受容体保持部材を患者の口内に定置しかつ患者の歯を咬合面上に定置して、遮られていないＸ線通路が前記照準板と前記受容体保持部材によって受けられた受容体との間に形成すること、
Ｘ線機械を前記照準板の開口に整合させること、
前記Ｘ線機械からのＸ線が前記照準板と前記受容体との間に形成された前記の遮られていない通路にそって通過するように、前記受容体を露出すること、
からなる方法。
【請求項３０】
前記受容体が患者の歯の背後に定置され、咬合面が患者の口の反対側歯によって噛まれている間に患者の歯の上でＸ線写真が撮られつつある、請求項２９に記載の方法。
【請求項３１】
患者の歯の歯科用咬翼Ｘ線写真を撮るための受容体位置決め器具であって、
受容体を受けるのに適し、Ｘ線機械からのＸ線照射に露出する受容体保持部材と、
照準板と、ただし該照準板はＸ線機械に整合させるためのほぼ平坦な面、前記受容体保持部材内の受容体を露出するように前記Ｘ線機械からの放射線を通過させる平坦面内開口、および前記器具を位置決めするように前記照準板から離れて延びるハンドルを含み、前記照準板は少なくとも０．１９ｃｍ（０．０７５ｉｎ）の厚みを有する金属から構成されて前記照準板の開口を除いて前記Ｘ線機械から患者までの放射線通路を減少し、ならびに
前記照準板と前記受容体保持部材との間にあり、前記器具を患者の口内に固定するように患者の口に係合する咬合面を含む腕と、
を備えた受容体位置決め器具。
【請求項３２】
前記照準板は少なくとも０．２５４ｃｍ（０．１００ｉｎ）の厚みを有する、請求項３１に記載の受容体位置決め器具。
【請求項３３】
前記照準板から延びる１対のハンドルを含む、請求項３１に記載の受容体位置決め器具。
【請求項３４】
前記ハンドルは互いに反対側にある、請求項３３に記載の受容体位置決め器具。
【請求項３５】
前記照準板の開口が長方形である、請求項３４に記載の受容体位置決め器具。
【請求項３６】
前記照準板の開口が該照準板のほぼ中央に配置される、請求項３１に記載の受容体位置決め器具。
【請求項３７】
前記照準板の開口が長方形であり、該照準板のほぼ中央に配置される、請求項３１に記載の受容体位置決め器具。
【請求項３８】
患者の歯の歯科用咬翼Ｘ線写真を撮るための方法であって、
受容体を受けるのに適し、Ｘ線機械からのＸ線照射に露出するための受容体保持部材と、照準板と、ならびに前記照準板と前記受容体保持部材との間にある腕とを備え、前記照準板は前記器具を患者の口内に固定するように患者の口に係合する咬合面を含む腕とほぼ平坦な面、平坦面内開口、および前記器具を位置決めするように前記照準板から離れて延びるハンドルを含み、前記照準板は少なくとも０．１９ｃｍ（０．０７５ｉｎ）の厚みを有する金属から構成され、前記腕が咬合面を含む、受容体位置決め器具を設けること、
受容体を前記受容体保持部材に設けること、
前記受容体保持部材を患者の口内に定置しかつ患者の歯を咬合面上に定置して、患者の口に前記受容体位置決め器具固定すること、
前記照準板から延びるハンドルを掴むことによって受容体位置決め器具の位置を調節すること、
Ｘ線機械を前記照準板のほぼ平坦面に整合させること、ならびに
前記受容体を露出するように前記照準板の厚みをかいして放射線の通過をほぼ阻止しながら、前記Ｘ線機械からの放射線を前記照準板の開口をかいして通過させること、
からなる方法。
【請求項３９】
前記照準板は少なくとも０．２５４ｃｍ（０．１００ｉｎ）の厚みを有する、請求項３８に記載の方法。
【請求項４０】
前記受容体位置決め器具は、前記照準板から延びる１対のハンドルを含み、該受容体位置決め器具の位置を調節するように前記ハンドルを握ることを含む、請求項３８に記載の方法。
【請求項４１】
前記ハンドルは互いに反対側にある、請求項４０に記載の方法。
【請求項４２】
前記照準板の開口が長方形である、請求項３８に記載の方法。
【請求項４３】
前記照準板の開口が前記照準板のほぼ中央に定置される、請求項３８に記載の方法。
【請求項４４】
前記照準板の開口が長方形であり、該照準板のほぼ中央に定置される、請求項３８に記載の方法。
【発明の詳細な説明】
【技術分野】
【０００１】
本発明は、歯科用放射線処置または口内診断用器具に関し、さらに詳しくは、放射線処置中に患者の口内にＸ線フィルムまたは受容体を位置決めすることに関連した口内歯科用放射線処置位置決め器具に関する。
【背景技術】
【０００２】
口内Ｘ線診断は、研究されるべき歯または骨の内面に隣接させて患者の口内にＸ線フィルムを定置することを含む。フィルムは、口の外側で発生されかつ標的を通過するＸ線ビームに露出される。公知の口内歯科用Ｘ線写真は、一端にＸ線フィルム保持構造体を有しかつ他端に整合腕を有する整合部材と、両端間に定置された咬合板とを有する歯科用器具を通常採用している。整合部材は、フィルム保持構造体によって保持されたＸ線フィルムのサイズおよび形状により正確に一致するようにＸ線ビームの照準を合わせる照準構造体を含む。一般に処方された歯科用Ｘ線写真は「咬翼」であり、それによってイメージが一緒に噛む歯およびそれらの包囲ソケット骨の歯冠を得る。外部Ｘ線チューブの方向にフィルムから延びる咬合ブロック部分を含むホルダ内にフィルムが通常装着される。標的歯によって咬合ブロックを患者が噛み、標的歯に隣接させてフィルムを定位置に保持する。
【０００３】
最新歯科用放射線写真技術は、歯科用フィルムが通常長方形形状であるにもかかわらず、円形断面のビームを利用している。公知の器具の欠点は、放射線写真技術によって使用されるビームの断面積が通常のＸ線フィルムの表面積よりも通常大きい。ビームの断面積がフィルム・サイズに一致しない場合、患者は歯科用フィルムの境界を越えて組織を照射する不必要な放射線に被爆される。
【０００４】
最近のＸ線フィルム位置決め機器の別の欠点は、Ｘ線を狙うさいに誤差があることである。これらの誤差は、Ｘ線機械に取り付けられた長方形位置表示器具にしばしば関連される。照準誤差は、Ｘ線写真の不要な撮直しで患者を被爆する。一般のフィルム位置決め機器は、望ましくないＸ線放射が受容体またはフィルム保持要素を通過してしまう可能性がある。
【０００５】
通常のフィルム位置決め器具および機器は、組立および調整を必要とする多数の部品を含む。部品の多数の配置が、取得したイメージの鮮鋭度の低下を生じる設定位置を喪失することがある。
【０００６】
歯科用機器を消毒する能力を高めることは、この分野では望ましい。クッションで覆われた領域のような部品が蒸気、加熱、または化学的方法にほとんど適用または受容できないので、最近のフィルム位置決め器具は、消毒のさいに欠点を有する。
【０００７】
一般に、患者は、患者の口にフィルム位置決め器具を定置しかつ保持するさいに補助する。通常の器具は、患者の口内で保持しかつ操作するのに困難であり、患者が機器を位置決めするさいに補助することに問題を生じる。
【発明の開示】
【発明が解決しようとする課題】
【０００８】
従来技術の問題および欠陥を考慮に入れて、したがって本発明の目的は、Ｘ線放射線の患者被爆を減少する器具を提供することにある。
【０００９】
本発明のさらに別の目的は、照準誤差および円錐カットを減少する器具を提供することにある。
【００１０】
本発明の別の目的は、受容体−Ｘ線フィルムに取得されたイメージの質を改善する器具を提供することにある。
【００１１】
本発明のさらに別の目的は、従来のフィルムおよび電子／デジタル受容体に広く適用される器具を提供することにある。
【００１２】
本発明のさらに別の目的は、相互に結合された部品が一旦望み通りに定置されてしまうと、相互結合部品の移動を最小にする器具を提供することにある。
【００１３】
本発明のさらに別の目的は、患者の口内で器具の移動を最小にする器具を提供することにある。
【００１４】
本発明のさらに別の目的は、受容体またはフィルムと整合するようにＸ線源を固く設定する器具を提供することにある。
【００１５】
本発明のさらに別の目的は、拡大を制限しかつ拡大均質を維持する器具を提供することにある。
【００１６】
本発明のさらに別の目的は、フィルム上に得られたイメージの鮮鋭度を最大にする器具を提供することにある。
【００１７】
本発明のさらに別の目的は、消毒を容易にする器具を提供することにある。
【００１８】
本発明のさらに別の目的は、最大の耐久性のある器具を提供することにある。
【００１９】
本発明のさらに別の目的は、患者の不快感および位置決め異常を最少にする器具を提供することにある。
【００２０】
本発明のさらに別の目的は、Ｘ線写真の「撮直し」を最少にする器具を提供することにある。
【００２１】
本発明のさらに別の目的は、患者の口内にフィルム位置決め器具を定置してＸ線機械とＸ線フィルムとの間の遮られていないラインを設ける方法を提供することにある。
【００２２】
本発明のさらに別の目的および利点は、明細書から一部は自明となり、一部は明白になるであろう。
【課題を解決するための手段】
【００２３】
当業者にとっては明白である上記およびその他の目的は、第１観点において、ほぼ中央の開口を形成する照準板を備え、患者の歯の歯科用咬翼Ｘ線写真を撮る受容体位置決め器具に向けられた本発明において達成される。受容体保持部材は、受容体を受けるのに適し、咬合面を含む細長腕は末端に向けて定置される。細長腕は第１端において照準板を受けかつそれに連結するのに適している。細長腕は、照準板の反対側で受容体保持部材の後部に照準板に向かってさらに延びかつその後部に連結するように設計されかつ適合されて、遮られていない通路が照準板のほぼ中央の開口と受容体保持部材によって受けられた受容体との間に形成される。受容体保持部材は、複数の受容体寸法、フィルム、デジタル受容体を好ましくは収容する。本発明の好適実施例においては、照準板、受容体保持部材、細長腕は剛性に一体に固定される。本発明の別の好適実施例においては、照準板、受容体保持部材、細長腕は金属から構成される。
【００２４】
関連した観点において、本発明は、患者の歯の歯科用咬翼Ｘ線写真を撮るための受容体位置決め器具に向けられている。その受容体位置決め器具は、開口を有していて、Ｘ線機械に整合させるための照準板と、受容体を受けるのに適し、Ｘ線機械からのＸ線照射に露出するための受容体保持部材とを備える。細長腕が第１端において照準板に連結されかつ末端に向けて定置された咬合面を含む。咬合部分末端からの細長腕が照準板に向かってさらに延びかつ受容体保持部材に連結して、患者の歯が咬合部分末端に係合している間に、遮られていない通路が照準板のほぼ中央の開口と受容体保持部材によって受けられた受容体との間に形成される。
【００２５】
受容体裏板に隣接して細長腕の咬合部分末端は、患者の歯と咬合するのに適した非圧縮性受け部分を含んでいてもよい。選択的には、咬合部分末端は、患者の歯の咬合パターンをつくりかつ記録するのに適したエラストマ圧痕材料を含む。咬合部分末端の開口は、エラストマ圧痕材料が末端面に連結することを許す。
【００２６】
照準板は、患者が把持する互いに反対側にあるハンドルを含む。照準板の開口は、好ましくはほぼ長方形形状をしており、ほぼ長方形形状を有するフィルムに類似して指向され、照準板によって形成されたほぼ中央の開口は受容体の寸法に寸法的に対応するのに適している。好ましくは、照準板は、少なくとも０．１９ｃｍ（０．０７５ｉｎ）の厚みを有する金属から構成されて、患者に不要な追加の放射線を過剰に被爆させないようにする。
【００２７】
別の関連された観点においては、咬合面が受容体保持部材に隣接していて、受容体が患者の歯の背後に定置される。受容体保持部材は、受容体および受容体保持部材を一体に固定するように少なくとも１つのバンドを受けるための縁にある切欠きを含む。受容体がデータ・コードを有するデジタル受容体である場合には、データ・コードを照準板と受容体保持部材との間で細長腕に固定するコネクタをさらに含んでいてもよい。
【００２８】
本発明の別の観点においては、患者の口の内側で歯の歯科用咬翼Ｘ線写真を撮るための受容体位置決め器具が、ほぼ長方形開口を形成する照準板と、受容体を受けるのに適した受容体保持部材と、第１端において照準板を受けかつそれに連結するのに適した細長腕とを含む剛性固定構造体を備えている。細長腕は、照準板の反対側で受容体保持部材の後部に向かって延びかつ第２端でその後部に連結して、遮られていない通路が照準板のほぼ中央の開口と受容体保持部材によって受けられた受容体との間に形成される。咬合面は細長腕の末端でかつ受容体保持部材に隣接して硬く取り付けられて、咬合面が患者の口の反対側歯によって噛まれている間に、Ｘ線写真が撮られる歯の背後に定置される。
【００２９】
本発明の別の観点においては、患者の歯の歯科用咬翼Ｘ線写真を撮るための方法は、上述した形式の受容体位置決め器具を最初に設けることからなる。好ましくは、その器具は、ほぼ中央の開口を形成した照準板と、受容体を受けるのに適した受容体保持部材と、第１端において照準板を受けかつそれに連結するのに適した細長腕とを含む剛性固定構造体である。細長腕は、受容体保持部材の後部に向かって延びかつ受容体保持部材の後部に連結するように設計されかつ適合されて、遮られていないＸ線通路が照準板のほぼ長方形開口と受容体保持部材によって受けられた受容体との間に形成される。咬合面は細長腕の末端でかつ受容体保持部材に隣接して硬く取り付けられた咬合面が設けられて、咬合面が患者の口の反対側にある歯によって噛まれている間に、Ｘ線写真が撮られつつある患者の歯の背後に定置される。患者の歯は、咬合面を噛んで、遮られていないＸ線通路が照準板と受容体保持部材によって受けられた受容体との間に形成される。Ｘ線機械は、照準板の開口と整合され、Ｘ線機械からのＸ線が照準板と受容体との間に形成された、遮られていない通路にそって通過するように受容体が露出される。
【発明を実施するための最良の形態】
【００３０】
本発明の好適実施例を記載するに当たり、図面の図１−１６をここで参照する。図面において、同類番号は、本発明の同類特徴を表す。本発明の特徴は、図面において必ずしも寸法通りには示されていない。
【００３１】
図１−６および図１１に示す好適実施例１０は、本発明の口腔歯科用放射線受容体位置決め器具を表現している。図１−４を参照すれば、受容体位置決め器具は、表面積１４を有するほぼ平坦照準板１２を含む。表面積１４は、ほぼ中央長方形開口１６を形成する。照準板１２は、両側に向かって延びる対立細長ハンドル１８をさらに含む。受容体位置決め器具１０は、細長腕２０と、Ｘ線フィルムまたは電子受容体のための裏板３０およびクリップ３２を有するフィルムまたは電子受容体保持部材２８とをさらに含む。細長腕２０は、第１曲り端４０において照準板の裏５０に好ましくは、溶接もしくはその他の剛接続によって、接続される。細長腕２０は、照準板１２の反対側で受容体保持部材２８の裏板３０の背面５２に取り付けられた第２端２２をさらに含む。
【００３２】
フィルムもしくは電子受容体保持部材２８および裏板３０は好ましくは金属からつくられ、対向クリップ３２は除去可能フィルムもしくはデジタル電子受容体５４を受けかつ掴むように設計されている。細長腕２０は、患者の歯を受けるのに適した平坦上面２６を含む。口の一方の側にある患者の歯６０ａが、図３に示すように、細長腕２０のほぼ平坦咬合面２６を掴むように定位置される。咬合面受け部分は通常は非圧縮性である。選択的に、細長腕２０の咬合面２６は、複数の円形穴または開口を含む。例えば、図３に示すように、６ｍｍ直径の３つの開口７０が長手方向に８ｍｍ間隔で離間されている。３つの開口は、硬化性エラストマ圧痕材料７２を収容する。咬合面２６のいずれかの側（図４−６参照）において、咬合面２６は、図１１に示すように、患者の歯の固有咬合パターンをつくりかつ記録するように用いられてもよい。この記録は、何回でも繰返し順次露出状態で歯の再現可能Ｘ線イメージをつくるように取り除かれ、達成され、再生される。
受容体保持部材２８のクリップ３２によって裏板３０に保持されるフィルムまたは受容体５４は、患者の口の反対側で露出されるべき所望の歯６０ｂの背後に定置される。好ましくは、裏板３０および受容体５４は、照準板１２に平行である。フィルムまたは受容体５４は、図１１にさらに示すように、歯６０ｂの状態を示すようにＸ線機械６２からのＸ線に曝されるように定置される。
【００３３】
図２を参照すれば、照準板１２は、そのほぼ中央に定置された好ましくは長方形開口２００をさらに含む。開口２００は、垂直寸法２０２および水平寸法２０４を有する。図１および２に示す好適実施例においては、開口の垂直寸法２０２は約３．１ｃｍ（１．２１０ｉｎ）であり、また、水平寸法２０４は約３．９ｃｍ（１．５５２ｉｎ）である。照準板１２は、Ｘ線中心線６３によって示されるように、Ｘ線機械位置表示シリンダ器具６２を受容体５４に軸方向に整合させるのに適している。それは、２つの仕様でこれを行う。第１は、２つの器具１２、６２がほぼ同じ直径を有しているので、Ｘ線機械が容易に心出しされる。軸方向のずれは、Ｘ線機械位置表示シリンダ器具６２の外側リムを超えて照準板１２の外縁の延長によって明らかになる。第２は、図３に示すように、Ｘ線機械位置表示シリンダ器具６２と照準板１２とのほぼ完全な平坦接触が、Ｘ線受容体とＸ線ビームとの最適整合を補償する。
【００３４】
上述した長方形照準開口の向きおよびサイズは、正常な組織および歯列をもった患者の成人サイズ水平咬翼Ｘ線写真試験と共に使用するためのものである。他のサイズは、子供またはその他の使用のためにつくられてもよい。既存の市場で入手可能な金属照準板は、０．１３ｃｍ（０．０５０ｉｎ）程度の厚みを有するが、本発明者の線量測定研究は、この厚みでも相当量の放射線が患者を貫通しかつ不要な追加の放射線に露出することになることを示した。好ましくは、照準板の厚みＴ（図４）は、少なくとも０．１９ｃｍ（０．０７５ｉｎ）の厚み、より好ましくは、０．２０ｃｍもしくは０．２５ｃｍ（０．０８０ｉｎもしくは０．１００ｉｎ）またはこのような過剰放射線を遮蔽すべき厚みを有する。
【００３５】
図５、６を参照すれば、図１に示す好適実施例のほぼ平坦細長腕２０は、第１端４０、第２端２２、第１長さ２５を有する短尺部材２３（その上に咬合面２６が配置される。）、角度付き部分２１を含む。図５は点線における形成以前の平坦素材としての腕２０を示し、他方、図６は両端２２、４０が約９０°曲げられた形成後の腕２０を示す。細長腕２０の第２端２２および角度付き部分２１の外縁は、第１寸法２７を特定する。第１寸法２７は、好ましくは約３．２ｃｍ（１．２５ｉｎ）で、第１長さ２５は、好ましくは約６．５ｃｍ（２．５４ｉｎ）である。短尺部材２３の外縁および垂直面は、細長腕２０の短尺部材２３の角度部位を決定する。好適角度は、約１２°である。これらの寸法および角度は、３つの理由で好ましい。第１は、細長腕の寸法は、正常な組織および歯列のサイズ範囲（子供（８歳およびそれ以上）のサイズから非常に大きいサイズまで）をもった口にＸ線受容体を最適に設置することと両立する。第２に、細長腕の寸法は、従来のフィルムおよび最近入手可能なデジタル電子受容体を収容することに互換性がある。第３に、細長腕の寸法は、患者の口内の受容体との最適形体にあるＸ線機械位置表示シリンダ器具を収容することに互換性がある。
【００３６】
図７、８を参照すれば、図１−４に示す受容体位置決め器具１０と共に使用されうる細長腕１００の別の実施例が示されている。細長腕１００は、図５、６に示された実施例のように、第１端４０、第２端２２、角度付き部分２１、短尺部材２３を含む。再び、図７は点線における形成以前の平坦素材としての腕２０を示し、他方、図８は両端２２、４０が約９０°曲げられた形成後の腕２０を示す。しかし、ここで短尺部材は、図１および図５−６に示す実施例の寸法２５よりも大きい第２長さ１０６を有する。第２長さ１０６は、好ましくは約７．２ｃｍ（２．８５ｉｎ）である。細長腕２０の第２端２２および角度付き部分２１の外縁は、図１および図５−６に示す実施例の第１寸法２７よりも小さい第２寸法１０４を特定する。第２寸法１０４は、図５に示す第１寸法２７よりも小さく、好ましくは約２．８ｃｍ（１．１０ｉｎ）である。短尺部材２３の外縁および垂直面は、図５、６に示す実施例の角度２９よりも小さいかまたは大きい鋭角であり、好ましくは約７°の角度１０８を特定する。大きい鋭角度１０８は、深い過蓋咬合を良好に収容する。細長腕の他の実施例は、子供のサイズから大きい成人のサイズまでのサイズ範囲にある深い過蓋咬合（顎後退下顎骨）をもった解剖学的構造を有する口に容易に収容される寸法を有する。
【００３７】
図９−１０を参照すれば、照準板１２の他の実施例が、対立細長ハンドル１８を含むように示されている。図９において、照準板１２は、そのほぼ中央に配置された好ましくは長方形の開口２１０をさらに含む。その場合、開口２１０の長さは幅よりも小さい。開口２１０は、垂直寸法２１２および水平寸法２１４を有する。この実施例においては、開口の垂直寸法２１２は好ましくは約３．９ｃｍ（１．５５２ｉｎ）であり、また、開口の水平寸法２１４は好ましくは約３．１ｃｍ（１．２１０ｉｎ）である。この実施例は、受容体保持部材２８に保持された成人の受容体またはフィルムに対応する開口の異なる位置決めを提供する。長方形照準開口の向きおよびサイズは、成人サイズ垂直咬翼Ｘ線写真試験と共に使用するためのものである。これは、水平咬翼イメージに視覚化されない妥協した歯列（歯周疾患によって減少された歯槽の頂上骨の大きな回復および高さをもった）を観測するために有用である。
【００３８】
図１０を参照すれば、照準板１２は、そのほぼ中央に配置された好ましくは長方形開口２２０をさらに含む。開口２２０は、垂直寸法２２２および水平寸法２２４を有する。この実施例においては、開口の垂直寸法２２２は好ましくは約２．５ｃｍ（１．０００ｉｎ）であり、また、開口の水平寸法２２４は好ましくは約３．９ｃｍ（１．５５２ｉｎ）である。この実施例は、受容体保持部材２８に保持された子供の受容体またはフィルムに対応して設計される。長方形照準開口のサイズおよび向きは、口を開くのに限られた能力をもった小さい子供（４−８歳）および非常に小さい成人の水平咬翼試験と共に使用するためのものである。
【００３９】
図１２、１３を参照すれば、裏板３０が図１の器具について示される。図１２は、裏板３０用平坦素材を示し、また、図１３は形成後の裏板３０を示す。裏板３０は、クリップ３２を有し、好ましくは約４．３ｃｍ（１．７１ｉｎ）の全長を有し、クリップが形成されかつ湾曲された状態で図１３に示されたとき、好ましくは約４．０ｃｍ（１．５７８ｉｎ）のクリップ間の寸法３８を有する。裏板３０と形成されたクリップ３２との間の好適寸法３４は、約０．１３ｃｍ（０．０５ｉｎ）である。図１３に示すように、湾曲されたクリップ３２を有する裏板３０の全長は、好ましくは４．３ｃｍ（１．７１ｉｎ）であり、湾曲クリップ３２間の長さ３８は好ましくは約４．０ｃｍ（１．５７８ｉｎ）である。裏板３０の幅３５は、好ましくは約３．０ｃｍ（１．２０ｉｎ）である。ここの寸法は、標準口内歯科フィルムを収容する。
【００４０】
図１４、１５を参照すれば、別の実施例が裏板３０について示される。前述したように、図１４は裏板３０用平坦素材を示し、また、図１５は形成後の裏板３０を示す。図１４、１５に示す実施例は、２つの対立切欠３９の追加を除いて、図１２、１３に示す実施例におけるものと同じである。これらの切欠は、裏板の両側にあり、クリップ３２に関して隣接側にある。切欠３９は、裏板３０の長辺の中間点から特別の寸法３１である。寸法３１は、好ましくは約０．３８ｃｍ（０．１５ｉｎ）である。切欠３９は、歯列矯正弾性体（図示せず）の補助によって受容体保持部材２８の裏板３０への電子受容体を受け容れる。裏板３０の全長３６、湾曲クリップ３２間の長さ３８、および幅３５は、図１２−１３に示す前述の実施例におけるものと同じである。図１６は、離間された２対の切欠に受けられた１対の歯列矯正弾性バンド７６によって受容体保持部材２８の定位置に保持された受容体５４を示す。受容体５４がデジタル電子受容体である場合、受容体から延びるデータ・コード７８は、コネクタ８０によって照準板と受容体保持部材との間で細長腕２０に固定されて、データ・プラグ８２が患者の口の外側に定置される。
【００４１】
裏板３０の他のサイズは、子供用に使用される受容体またはフィルムのために設計されたものとして用いられてもよい。それは、図１２−１５に示す裏板と共に用いられるフィルムよりも小さい。好ましくは、このような裏板は、図１２−１５に示す実施例に類似して長い約４．０ｃｍ（１．６０ｉｎ）ではあるが、子供用に設計されたサイズのフィルムを収容するように好ましくは約２．５ｃｍ（１．００ｉｎ）の幅の湾曲クリップ間の長さを有する。
【００４２】
操作および使用において、図１１に示すように、患者の口６５が概略描かれ、患者の歯が受容体位置決め器具１０の細長腕２０の上下にある。歯６０ａが細長腕２０の咬合面２６を噛みかつ保持する。咬合面２６は、患者の歯６０ａの咬合パターンに一致するエラストマ圧痕材料を含有する。受容体保持部材２８は、露出されるべき歯の後（歯６０ａから口の反対側）に定置され、また、照準板１２が患者の口６５および歯６０ｂに隣接して定置される。Ｘ線機械６２は、照準板１２の前方でＸ線を撮りかつＸ線フィルム受容体５４を露出するように定置される。必用に応じて、患者または放射線技師は、よりよい助成のために受容体位置決め器具を再位置決めするようにハンドル１８を用いる。好ましくは、照準板１２が金属から構成され、剛性で固くつくられる。受容体位置決め器具１０の剛性で固い構造は、器具の位置決め後の望ましくない移動の可能性が最少となるので、最も正確なフィルム露出を与える。長方形開口１６を有する金属照準板は、咬翼である、最も一般的に処方された歯科Ｘ線写真に対する一次ビームＸ線放射線の約５０％を吸収することによって、患者の被爆を減少する。さらに、金属照準板は、標的誤差、すなわち、「円錐カット」を減少する。円錐カットは、Ｘ線機械に取り付けられた長方形位置表示器具としばしば関連される。さらに、長方形開口１６を有する本発明の照準板の使用は、Ｘ線写真の不必要な「撮直し」を排除することによって、Ｘ線に対する患者の被爆を減少する。本発明の照準板１２は、歯科用Ｘ線機械において通常標準になっている、通常丸い（通常、７．０ｃｍ（２．７５ｉｎ）直径）表示円筒形器具に適合できる。
【００４３】
本発明にもとづく器具の別の利点は、フィルム５４上の要求されたイメージの質を改善する金属受容体保持部材２８によってＸ線の吸収に関連する。受容体保持部材２８は、好ましくは金属から構成される。金属受容体保持部材２８は、受容体またはフィルム５４を通常通過するＸ線を吸収することによって、Ｘ線への患者の被爆を減少する。また、金属受容体保持部材２８は、イメージの劣化を生じる追加の二次または「散乱」放射を減少する。
【００４４】
図１−１６に示すように、受容体位置決め器具１０の一体設計は、フィルム５４の露出と干渉する多数の部品の移動を排除する。さらに、一体設計は、固定Ｘ線源対対象物距離および対象物対フィルム距離を設定する。一体設計の別の利点は、要求されたイメージの鮮鋭度の均質拡大および最大化の維持である。受容体位置決め器具１０の別の利点は、蒸気、加熱、または化学的方法を用いた消毒ができかつそれに耐える剛性器具を提供する好適なすべての金属設計である。さらに、照準板１２の一部であるハンドル１８は、患者が器具を操作して患者の不快感および異常位置決めを最少にする。
【００４５】
本発明は、特に好適な実施例に関連して格別に記載されてきたが、多くの変更、修正、変形が上述の記載に照らして当業者にとって明らかであることは明白である。したがって、添付特許請求の範囲はこのような変更、修正、変形が本発明の範囲および精神内にあるものとして包摂することが意図されている。
【図面の簡単な説明】
【００４６】
【図１】受容体位置決め器具の斜視図である。
【図２】図１に示す器具の照準板の正面図である。
【図３】患者の歯の位置を描いた図１に示す受容体位置決め器具の側面図である。
【図４】図３の図面から１８０°回転された図１に示す受容体位置決め器具の別の側面図である。
【図５】図１に示す受容体位置決め器具の細長腕の側面図である。
【図６】図５の細長腕の側面図である。
【図７】図１に示す受容体位置決め器具の細長腕の別実施例を示す平面図である。
【図８】図７の細長腕の側面図である。
【図９】図１に示す受容体位置決め器具と共に使用するための異なる寸法の長方形穴を有している別の照準板の正面図である。
【図１０】図１に示す受容体位置決め器具と共に使用するためのさらに異なる寸法の長方形穴を有している別の照準板の正面図である。
【図１１】図１に示す受容体位置決め器具の側面図であって、器具を噛む患者の歯および定位置にあるＸ線機械を示す。
【図１２】図１に示す受容体位置決め器具の受容体を受けるための裏板を示す図である。
【図１３】図１２に示す裏板の側面図である。
【図１４】図１に示す受容体位置決め器具の電子受容体を受けるための裏板であって、対立切欠を有する裏板の別実施例を示す図である。
【図１５】図１４の裏板の側面図である。
【図１６】デジタル受容体を組み込んだ本発明の受容体位置決め器具の斜視図である。
【符号の説明】
【００４７】
１２    照準板
１６    長方形開口
２０    細長腕
２２    咬合面
２８    受容体保持部材
３０    裏板
【図１】
2005521510.tif 000003
【図２】
2005521510.tif 000004
【図３】
2005521510.tif 000005
【図４】
2005521510.tif 000006
【図５】
2005521510.tif 000007
【図６】
2005521510.tif 000008
【図７】
2005521510.tif 000009
【図８】
2005521510.tif 000010
【図９】
2005521510.tif 000011
【図１０】
2005521510.tif 000012
【図１１】
2005521510.tif 000013
【図１２】
2005521510.tif 000014
【図１３】
2005521510.tif 000015
【図１４】
2005521510.tif 000016
【図１５】
2005521510.tif 000017
【図１６】
2005521510.tif 000018
【国際調査報告】
2005521510.tif 000019